(57)【要約】【課題】  冷媒用圧縮機外表面は錆の防止のため塗装される。電源端子箱を防塵防水構造とする圧縮機では、電源端子箱の隙間部にガスケットを挟み込み、圧縮させることにより隙間を埋める構造とするが、圧縮機の運転により外表面が高温となり、塗装表面が軟化しガスケットと融着するため、塗装面の塗装の剥れ、ガスケット破損の恐れがあり、防塵防水機能を維持できなくなる可能性があった。【解決手段】  電源端子箱の隙間部に挟み込むガスケットを2枚重ねとし、またガスケット平面の端子箱本体のシート面と接触する部位を除く中央側を繰り抜いた中抜き構造とすることにより、塗装面が軟化しガスケットと塗装面が融着した場合においても、電源端子箱内の点検が可能となり、また塗装面の塗装の剥れ、ガスケットの破損を防止することが可能となる。【選択図】  図４
2006342672.tif 000002
【特許請求の範囲】
【請求項１】
電源端子箱は端子箱本体と蓋の間にガスケットを挟み込む構造であり、端子箱本体と蓋は塗装された鋼板で構成され、運転中にチャンバ内が吐出圧力に相当する圧力となる冷媒圧縮機において、端子箱本体と蓋の間に挟み込むガスケットを２枚重ねとすることを特徴とする、冷媒用圧縮機。
【請求項２】
電源端子箱は圧縮機のチャンバと端子箱本体の間にガスケットを挟み込む構造であり、チャンバと端子箱本体は塗装された鋼板で構成され、運転中にチャンバ内が吐出圧力に相当する圧力となる冷媒圧縮機において、チャンバと端子箱本体の間に挟み込むガスケットを２枚重ねとすることを特徴とする、冷媒用圧縮機。
【請求項３】
請求項１または２の冷媒用圧縮機において、電源端子箱に取付けるガスケットは、ガスケット平面の端子箱本体のシート面と接触する部位を除く中央側を繰り抜いた中抜き構造とすることを特徴とする、冷媒用圧縮機。
【請求項４】
請求項３の冷媒用圧縮機において、ガスケットの材質はシリコンであることを特徴とする、冷媒用圧縮機。
【請求項５】
請求項３の冷媒用圧縮機において、ガスケットの材質はフッ素ゴムであることを特徴とする、冷媒用圧縮機。
【発明の詳細な説明】
【技術分野】
【０００１】
本発明は、電源端子箱を防塵防水構造とする冷媒用圧縮機において、電源端子箱の蓋の開閉時に、挟み込むガスケットの損傷を防止し、防塵防水機能を維持するものである。
【背景技術】
【０００２】
図１に、従来の一般的な冷媒用圧縮機の構造図を示す。圧縮機は、チャンバ１、機構部品２、モータ３で構成され、モータ３に電源を供給する電源ケーブル（図示せず）が接続される端子接続部１２を内部に有する電源端子箱４をチャンバ１外表面に有する。電源端子箱４は、鋼板を使用する端子箱本体５と蓋６で構成され、端子箱本体５は、チャンバ１表面を含めて防錆のため塗装される。圧縮機の運転中は、圧縮機の吸入配管７内の圧力は低く低温となり、吐出配管８内の圧力は高く高温となる。本圧縮機においては、チャンバ内空間部９は吐出配管８内に相当する圧力と温度となる構造であるため、チャンバ１外表面も吐出配管８内に相当する温度に上昇し、チャンバ１外表面に取付けられた電源端子箱４もチャンバ１外表面に相当する温度となる場合がある。これに対し、図２、図３に電源端子箱を防塵防水構造とした例を示す。図２は圧縮機の構造図であり、電源端子箱１０４以外は、図１に示す圧縮機と同構造である。図３は、図２に示す圧縮機の電源端子箱１０４の構造図である。図３の電源端子箱１０４は、端子箱本体１０５、蓋１０６、ガスケット１１０、蓋取付用ネジ１１１で構成され、ガスケット１１０は端子箱本体１０５と蓋１０６間の平面部に挟み込まれ、蓋取付用ネジ１１１で締結され固定される。端子箱本体１０５と蓋１０６は塗装された鋼板であるが、その塗装面は高温下において軟化する場合がある。端子箱本体１０５とガスケット１１０の接触面及び蓋１０６とガスケット１１０の接触面は、締結により圧縮されるため、各接触面で軟化した塗装がガスケット１１０と融着し、蓋１０６が外せない、塗装が剥れる、ガスケット１１０が破損する等の可能性があった。
【０００３】
【特許文献１】特開２００３−１８４７７５号公報
【発明の開示】
【発明が解決しようとする課題】
【０００４】
冷媒用圧縮機において、電源端子箱を防塵防水構造とする場合には、密封を必要とする部位にガスケットを挟み込み隙間を埋める構造とする必要があり、ガスケットを挟み込む面が塗装面でありかつ高温になる場合には、塗装が軟化しガスケットと塗装面が融着する場合がある。その際に点検等のために蓋を取り外すためにガスケット面を開口した際に、塗装面の塗装の剥れや、融着した部位でガスケットが破損し、再度蓋を取付ける際に要求される防塵防水機能を果たさなくなる場合があった。
【課題を解決するための手段】
【０００５】
電源端子箱の防塵防水構造のために使用されるガスケットを２枚重ねとし、蓋を取り外す場合、塗装面とガスケット間が融着しても２枚のガスケット間で開口させることにより、塗装面の塗装の剥れ、ガスケットの破損を発生させずに蓋を外す事が可能となる。またガスケットは、ガスケット平面の端子箱本体のシート面と接触する部位を除く中央側を繰り抜いた中抜き構造とすることにより、ガスケットと端子箱の塗装面が融着しても端子接続部の点検が可能となる。特に高温で使用される場合には、ガスケット材質をシリコンまたは、フッ素ゴムにすることにより達成される。
【発明の効果】
【０００６】
電源端子箱を防塵防水構造とし、運転中に電源端子箱の表面が高温となる冷媒用圧縮機において、点検時等に電源端子箱内の電源ケーブルの接続状態を確認するために電源端子箱の蓋を開口する際に、塗装面の塗装の剥れや挟み込まれたガスケットの損傷を防止し、防塵防水の機能を確実に維持することが可能となる。
【発明を実施するための最良の形態】
【０００７】
以下、本発明の実施例を示す。
【０００８】
実施例１は、電源端子箱が、端子箱本体、２枚のガスケット、蓋及び蓋取付用ネジで構成される例、実施例２は電源端子箱が端子箱本体、ガスケット及び端子箱本体取付用ネジで構成される例を示す。
【実施例１】
【０００９】
図４に実施例１の圧縮機構造図を示す。図４の圧縮機の電源端子箱２０４の構造図を図５に示す。電源端子箱は、鋼板製で塗装された端子箱本体２０５と蓋２０６、２枚のガスケット２１０及び蓋取付用ネジ２１１で構成される。２枚のガスケット２１０は、端子箱本体２０５と蓋２０６間に挟み込まれ、蓋取付用ネジ２１１の締付けにより圧縮されて端子箱本体２０５と蓋２０６の間の隙間を埋め、防塵防水構造となる。ガスケット２１０は耐熱性を有するシリコンのスポンジであり、ガスケット２１０平面の端子箱本体２０５のシート面と接触する部位を除く中央側を繰り抜いた中抜き構造であるため、電源端子箱２０４が高温となり端子箱本体２０５と蓋２０６の塗装面が軟化して２枚のガスケット２１０各々と融着した場合においても、２枚の耐熱性の高いシリコンスポンジのガスケット２１０の間は融着しない。また、ガスケット２１０は前記の中抜き構造であるため、ガスケット２１０と端子箱の塗装面が融着しても端子接続部の２１２の点検が可能となる。従って、点検時等に蓋２０６を取り外す場合は、２枚のガスケット２１０の間を開口することができ、またガスケット２１０は前記中抜き構造であるため、端子接続部２１２の点検が可能であり、塗装面の塗装の剥れや、ガスケット２１０の破損を防止することが可能となる。
【実施例２】
【００１０】
図６に実施例２の圧縮機構造図を示す。実施例２では、端子箱本体３０５とチャンバ３０１の間に実施例１に記載のガスケット２１０と同じ構造の中抜き構造であるガスケット３１０を２枚挟み込み、端子箱本体取付用ネジ３１１にて、端子箱本体３０５は、チャンバ３０１に取り付けられる。点検等により端子箱本体３０５を取り外す場合、２枚のガスケット３１０の間を開口することでき、塗装面の塗装の剥れ、ガスケット３１０の破損は発生しない。
【実施例３】
【００１１】
実施例３では、実施例１に対し、２枚のガスケットをフッ素ゴム系のスポンジとしたものである(図示せず)。
【実施例４】
【００１２】
実施例４では、実施例２に対し、２枚のガスケットをフッ素ゴム系のスポンジとしたものである(図示せず)。
【図面の簡単な説明】
【００１３】
【図１】一般的な冷媒用圧縮機の構造図を示す。
【図２】電源端子箱を防塵防水構造とした従来の圧縮機構造図を示す。
【図３】図２の圧縮機の電源端子箱構造図を示す。
【図４】本発明の実施例１の圧縮機構造図を示す。
【図５】本発明の実施例１の圧縮機の電源端子箱構造図を示す。
【図６】本発明の実施例２の圧縮機構造図を示す。
【符号の説明】
【００１４】
１…チャンバ、２…機構部品、３…モータ、４…電源端子箱、５…端子箱本体、６…蓋、７…吸入配管、８…吐出配管、９…圧縮機チャンバ内空間、１２…端子接続部、１０４…電源端子箱、１０５…端子箱本体、１０６…蓋、１１０…ガスケット、１１１…蓋取付用ネジ、２０４…電源端子箱、２０５…端子箱本体、２０６…蓋、２１０…ガスケット、２１１…蓋取付用ネジ、２１２…端子接続部、３０１…圧縮機チャンバ、３０５…端子箱本体、３１０…ガスケット、３１１…端子箱本体取付用ネジ。
【図１】
2006342672.tif 000003
【図２】
2006342672.tif 000004
【図３】
2006342672.tif 000005
【図４】
2006342672.tif 000006
【図５】
2006342672.tif 000007
【図６】
2006342672.tif 000008